(57)【要約】      （修正有）【課題】包袋の作業性良好な不正開封防止ケースを提供する。【解決手段】第一乃至第四側壁片１〜４と糊代片５とを折り畳み線ａ〜ｄを介して連設し、上記各側壁片１〜４の下端に底フラップＨ〜Ｋと、上端に蓋フラップとＯ〜Ｒを、それぞれ折り畳み線ｈ〜ｋとｏ〜ｒを介して連設し、向き合う側壁の内側蓋フラップＯ，Ｑの折り畳み線ｏ，ｑと、他の向き合う側壁の外側蓋フラップＰ，Ｒの折り畳み線ｐ，ｒとの間には微小段差ｚを設け、上記外側蓋フラップの内、先に折り畳むフラップＲの折り畳み線ｒを跨ぐようにして側壁片４側に向けて末広がりで、かつ、蓋フラップ側の端を繋いだスリットｔを形成し、後から折り畳む蓋フラップＰの長さを、上記スリットｔを設けた折り畳み線ｒにとどく長さとし、その端に折り畳み線ｓを介して差し込み片Ｓを連設し、該差し込み片Ｓの両端から折り畳み線ｓを跨ぐように切り込み部ｕを設けてなる。【選択図】図１
0003102811.tif 000002
【実用新案登録請求の範囲】
【請求項１】
箱体の展開状態で、側壁を形成する第一乃至第四側壁片と糊代片とを折り畳み線を介して連設し、上記各片の下端に底を形成する底フラップと、上端に蓋を形成する蓋フラップとを、それぞれ折り畳み線を介して連設してなる箱体において、向き合う側壁の内側蓋フラップの折り畳み線と、他の向き合う側壁の外側蓋フラップの折り畳み線とに微小段差を設け、上記外側蓋フラップの、先に折り畳む方の折り畳み線を跨ぐように側壁側に向けて末広がりで、蓋フラップ側の端を繋いだスリットを形成し、後から折り畳むフラップの長さを、上記スリットを設けた折り畳み線にとどく長さとし、その端に折り畳み線を介して差し込み片を連設し、該差し込み片の両端から折り畳み線を跨ぐ切り込み部を設けたことを特徴とする不正開封防止ケース。
【請求項２】
上記差し込み片の両端を円弧または斜めの面取りをしたことを特徴する請求項１に記載の不正開封防止ケース。
【請求項３】
上記折り畳み線を跨いで設けた切り込み部の幅を、上記外側蓋フラップの、先に折り畳む方の折り畳み線を跨ぐように設けた末広がりのスリットの、折り畳み線から末広がりの端までの高さと同一または僅かに大きい幅とし、切り込み部の深さを、上記スリットの曲折部から端までの水平長さと同一または僅かに短くしたことを特徴とする１または２に記載の不正開封防止ケース。
【請求項４】
上記スリットに平行してハーフカット部を形成し、そのハーフカット部をつぶして差し込み片を押し込むことができるようにしたことを特徴とする請求項１乃至３のいずれかに記載の不正開封防止ケース。
【請求項５】
上記差し込み片を連設した蓋フラップに、折り畳み線に平行な引き裂きジッパーを形成したことを特徴とする請求項１乃至３のいずれかに記載の不正開封防止ケース。
【考案の詳細な説明】
【技術分野】
【０００１】
この考案は、収容した商品が移送中に抜き盗られたり、すり替えられたりすることがないようにし、もし、これらの行為があったときは直ちに判明するようにした不正開封防止ケースに関する。
【背景技術】
【０００２】
本出願人は、特願２００３−２９７５１３号で「函体の展開形状が、函体の側壁を形成する第一片乃至第四側壁片を互いに折り畳み線を介して連設し、上記各片の下縁に折り畳み線を介して第一乃至第四底フラップを、上記各片の上縁に折り畳み線を介して第一乃至第四蓋フラップをそれぞれ連設してなる函体において、上記第二蓋フラップの折り畳み線寄りに、両端に曲折部を形成したスリットを穿設し、上記第四蓋フラップの上縁に、上記第二蓋フラップに設けたスリットに両端を折り曲げて嵌り、嵌ると折り曲げが戻る差し込み片を、折り畳み線を介して連設し、第四蓋フラップの第四側壁片側または差し込み片側にジッパーを形成し、第一，第三蓋フラップの第二蓋フラップに向き合う側縁に上記差し込み片の折り曲げ部を受け入れる刳り抜き部を設けたことを特徴とする不正開封防止ケース」を提案した。
【考案の開示】
【考案が解決しようとする課題】
【０００３】
上記提案は、不正開封防止の目的を充分達成したものであるが、差し込み片を差し込むスリットの両端を曲折して形成しなければならないこと、差し込み片の両端を折り曲げてスリットに差し込まなければならないことなど、製箱と包装作業の能率化を図る上での問題があり改善が求められている。
【０００４】
上記の状況からこの考案は、差し込み片をスリットに差し込むとき、その両端を折り曲げることなく包装作業をできるようにした不正開封防止ケースを提供することを課題とする。
【課題を解決するための手段】
【０００５】
上記課題を解決するためにこの考案は、箱体の展開状態で、側壁を形成する第一乃至第四側壁片と糊代片とを折り畳み線を介して連設し、上記各片の下端に底を形成する底フラップと、上端に蓋を形成する蓋フラップとを、それぞれ折り畳み線を介して連設してなる箱体において、向き合う側壁の内側蓋フラップの折り畳み線と、他の向き合う側壁の外側蓋フラップの折り畳み線とに微小段差を設け、上記外側蓋フラップの、先に折り畳む方の折り畳み線を跨ぐように側壁側に向けて末広がりで、蓋フラップ側の端を繋いだスリットを形成し、後から折り畳むフラップの長さを、上記スリットを設けた折り畳み線にとどく長さとし、その端に折り畳み線を介して差し込み片を連設し、該差し込み片の両端から折り畳み線を跨ぐ切り込み部を設けてなる構成を採用したものであり、上記差し込み片の両端を円弧または斜めの面取りをし、上記折り畳み線を跨いで設けた切り込み部の幅を、上記外側蓋フラップの、先に折り畳む方の折り畳み線を跨ぐように設けた末広がりのスリットの、折り畳み線から末広がりの端までの高さと同一または僅かに大きい幅とし、切り込み部の深さを、上記スリットの曲折部から端までの水平長さと同一または僅かに短くし、上記スリットに平行してハーフカット部を形成し、そのハーフカット部をつぶして差し込み片を押し込むことができるようにするか、上記差し込み片を連設した蓋フラップに、折り畳み線に平行な引き裂きジッパーを形成した構成を採用したものである。
【考案の効果】
【０００６】
上記の如く構成する考案によれば、差し込み片の両端を折り曲げてスリットに差し込む必要がなく、商品の包装作業が容易となる。
【考案を実施するための最良の形態】
【０００７】
次にこの考案の実施の形態を、図面を参照しながら説明する。
【実施例１】
【０００８】
図１に基づき実施例１を説明する。側壁を形成する第一乃至第四側壁片１，２，３，４と糊代片５とを折り畳み線ａ，ｂ，ｃ，ｄを介して連設し、上記各側壁片１，２，３，４の下端に底を形成する底フラップＨ，Ｉ，Ｊ，Ｋと、上端に蓋を形成する蓋フラップＯ，Ｐ，Ｑ，Ｒとを、それぞれ折り畳み線ｈ，ｉ，ｊ，ｋとｏ，ｐ，ｑ，ｒを介して連設してなる。
【０００９】
向き合う側壁の内側蓋フラップＯ，Ｑの折り畳み線ｏ，ｑと、他の向き合う側壁の外側蓋フラップＰ，Ｒの折り畳み線ｐ，ｒとの間には微小段差ｚを設け、上記外側蓋フラップの内、先に折り畳むフラップＲの折り畳み線ｒを跨ぐようにして側壁片４側に向けて末広がりで、かつ、蓋フラップ側の端を繋いだスリットｔを形成し、後から折り畳む蓋フラップＰの長さを、上記スリットｔを設けた折り畳み線ｒにとどく長さとし、その端に折り畳み線ｓを介して差し込み片Ｓを連設し、該差し込み片Ｓの両端から折り畳み線ｓを跨ぐように切り込み部ｕを設けてある。
【００１０】
上記差し込み片Ｓ側の折り畳み線ｓの外側蓋フラップＰ側には、折り畳み線ｓに平行な引き裂きジッパーｖが設けられている。
【００１１】
底フラップＩとＫは、各側壁片１，２，３，４を９０度折り畳んだとき接合点ｘで互いの小片Ｉ’，Ｋ’が相手側の下に入るように交差結合し、底フラップＨの糊代Ｈ”は底フラップＩの糊代Ｉ”に重なり、底フラップＪの糊代Ｊ”は底フラップＫの糊代Ｋ”に重なり、糊代片５は側壁片１の端に重なって接着される。
【００１２】
上記のように構成した底フラップは、底フラップＩとＪとの間、ＫとＨとの間でフリーの状態となって、底を形成したままケースを折り畳むことができるようになっている。
【００１３】
商品をケースに収容すると図３に示すように、蓋フラップＯとＱとを倒し、次いでＲを倒し、最後にＰを倒して差し込み片Ｓをスリットｔに差し込む。このときスリットｔが折り畳み線ｒを跨いでいるので差し込み片Ｓの切り込み部ｕが入り込んだ後は差し込み片Ｓの両端の角ｗがスリットｔの蓋フラップＲの内面に引っかかって嵌め殺しとなる。
【００１４】
上記のように蓋フラップＰは嵌め殺し構造となるので、ケースを開封するには、蓋フラップＰの折り畳み線ｓ側に設けた引き裂きジッパーｖを引き裂かねば開封することができない。
【００１５】
従って、ケースに収容した商品を抜き盗ったり、すり替えたりするには、上記引き裂きジッパーｖを引き裂かねばならないから不正行為があったときは直ちに判明することとなる。
【００１６】
なお、差し込み片Ｓをスリットｔに差し込み易くするために、その端を円弧状に面取りをしてあるが斜めにカット（面取り）してもよい。また、上記折り畳み線ｓを跨いで設けた切り込み部ｕの幅ｇを、上記外側蓋フラップの、先に折り畳む方の折り畳み線を跨ぐように設けた末広がりのスリットｔの折り畳み線ｒから末広がりの端までの高さｅと同一または僅かに大きくし、深さｆを、上記スリットｔの曲折部から端までの水平長さｙと同一または僅かに短くすることによって差し込み片Ｓをスリットｔに差し込み易く、かつ、嵌め殺しになり易くしている。
【実施例２】
【００１７】
図２に基づき実施例２を説明するが実施例１と相違するところは平たいケースになっていることと、底フラップと蓋フラップを連設した側壁片の位置がずれていること、および開封のための引き裂きジッパーに替えて円弧状のハーフカットまたはミシン目カットを蓋フラップＲに設けるようにした点である。
【００１８】
側壁を形成する第一乃至第四側壁片１，２，３，４と糊代片５とを折り畳み線ａ，ｂ，ｃ，ｄを介して連設し、上記各側壁片１，２，３，４の下端に底を形成する底フラップＨ，Ｉ，Ｊ，Ｋと、上端に蓋を形成する蓋フラップＯ，Ｐ，Ｑ，Ｒとを、それぞれ折り畳み線ｈ，ｉ，ｊ，ｋとｏ，ｐ，ｑ，ｒを介して連設してなる。
【００１９】
向き合う側壁片の内側蓋フラップＯ，Ｑの折り畳み線ｏ，ｑと、他の向き合う側壁の外側蓋フラップＰ，Ｒの折り畳み線ｐ，ｒとの間には微小段差ｚを設け、上記外側蓋フラップの内、先に折り畳むフラップＲの折り畳み線ｒを跨ぐようにして側壁片４側に向けて末広がりで、かつ、蓋フラップ側の端を繋いだスリットｔを形成し、後から折り畳む蓋フラップＰの長さを、上記スリットｔを設けた折り畳み線ｒにとどく長さとし、その端に折り畳み線ｓを介して差し込み片Ｓを連設し、該差し込み片Ｓの両端から折り畳み線ｓを跨ぐように切り込み部ｕを設けてある。
【００２０】
底フラップＩとＫは、各側壁片１，２，３，４を９０度折り畳んだとき接合点ｘで互いの小片Ｉ’，Ｋ’が相手側の下に入るように交差結合し、底フラップＨの糊代Ｈ”は底フラップＩの糊代Ｉ”に重なり、底フラップＪの糊代Ｊ”は底フラップＫの糊代Ｋ”に重なり、糊代片５は側壁片３の端に重なって接着される。
【００２１】
上記のように構成した底フラップは、底フラップＩとＪとの間、ＫとＨとの間でフリーの状態となって、底を形成したままケースを折り畳むことができるようになっている。
【００２２】
商品をケースに収容すると図４に示すように、蓋フラップＯとＱとを倒し、次いでＲを倒し、最後にＰを倒して差し込み片Ｓをスリットｔに差し込む。このときスリットｔが折り畳み線ｒを跨いでいるので差し込み片Ｓの切り込み部ｕが入り込んだ後は差し込み片Ｓの両端の角ｗがスリットｔの蓋フラップＲの内面に引っかかって嵌め殺しとなる。
【００２３】
上記のように蓋フラップＰは嵌め殺し構造となるので、ケースを開封するには、蓋フラップＲの折り畳み線ｒ側に設けた円弧状のハーフカットｖ’（ミシン目カットでもよい）を押し潰すとともに差し込まれた差し込み片Ｓを押し込まねば開封することができない。
【００２４】
従って、ケースに収容した商品を抜き盗ったり、すり替えたりするには、上記ハーフカットｖ’を押し潰さねばならないから不正行為があったときは直ちに判明することとなる。
【００２５】
なお、差し込み片Ｓをスリットｔに差し込み易くするために、その端を円弧状に面取りをしてあるが斜めにカット（面取り）してもよい。また、上記折り畳み線ｓを跨いで設けた切り込み部ｕの幅ｇを、上記外側蓋フラップの、先に折り畳む方の折り畳み線を跨ぐように設けた末広がりのスリットｔの折り畳み線から末広がりの端までの高さｅと同一または僅かに大きくし、深さｆを、上記スリットｔの曲折部から端までの水平長さｙと同一または僅かに短くすることによって差し込み片Ｓをスリットｔに差し込み易く、かつ、嵌め殺しになり易くしている。
【図面の簡単な説明】
【００２６】
【図１】実施例１の（ａ）展開図、（ｂ）同差し込み片の切り込み部の詳細図、（ｃ）同スリット部分の詳細図
【図２】実施例２の展開図
【図３】実施例１の蓋フラップの折り畳み説明斜視図で（ａ）は折り畳み前、（ｂ）は折り畳み後を示す。
【図４】実施例２の蓋フラップの折り畳み説明斜視図
【符号の説明】
【００２７】
１，２，３，４  側壁片
５  糊代片
ａ，ｂ，ｃ，ｄ，ｈ，ｉ，ｊ，ｋ，ｏ，ｐ，ｑ，ｒ，ｓ  折り畳み線
Ｈ，Ｉ，Ｊ，Ｋ  底フラップ
Ｏ，Ｐ，Ｑ，Ｒ  蓋フラップ
Ｉ’，Ｋ’  小片
Ｈ”，Ｉ”，Ｊ”，Ｋ”  糊代
ｚ  微小段差
ｔ  スリット
Ｓ  差し込み片
ｕ  切り込み部
ｖ  引き裂きジッパー
ｖ’  円弧状ハーフカット
ｗ  差し込み片の両端の角
ｘ  接合点
ｇ  切り込み部の幅
ｆ  切込みの深さ
ｅ  折り畳み線ｒから末広がりの端までの高さ
ｙ  スリットの曲折部から端までの水平長さ
【図１】
0003102811.tif 000003
【図２】
0003102811.tif 000004
【図３】
0003102811.tif 000005
【図４】
0003102811.tif 000006